(57)【特許請求の範囲】
【請求項１】
フリーアクセスフロア上に隙間を空けて設置されたコンピュータの内部を冷却する床下空調方式コンピュータの冷却方式であって、前記コンピュータ内部に備えた複数個の風量検知部で検出した風量の平均値を平均風量値として算出する手段と、前記平均風量値と予め設定された設定風量値とを比較し、その差分をなくすように床に内蔵された複数個のファンの回転速度を一律に制御する手段と、前記差分の状態を差分量に応じて多段階に表示する手段とを有することを特徴とする床下空調方式コンピュータの冷却方式。
【請求項２】
フリーアクセスフロア上に隙間を空けて設置されたコンピュータの内部を冷却する床下空調方式コンピュータの冷却方式であって、前記コンピュータ直下の前記フリーアクセスフロアの床内部に内蔵され、床下空調冷気を前記コンピュータの内部に送風する複数個のファンと、前記コンピュータ内部の別々の場所に備えられ、それぞれの場所における風量値を検知する複数個の風量検知部と、前記複数個の風量検知部からそれぞれの風量値を取得し、それらの平均風量値を算出する平均風量演算部と、前記コンピュータ内部の最適な風量値を設定風量値として予め設定，保持している風量設定部と、前記平均風量演算部から取得した平均風量値と前記風量設定部から取得した設定風量値とを比較し、その差分を検出する比較部と、前記比較部からの差分情報を受け、この差分をなくすように前記ファンの回転速度を制御するファン駆動信号を生成するファン駆動信号生成部と、前記ファン駆動信号生成部から受けたファン駆動信号により、前記複数のファンを一律に駆動するファン駆動回路とを有することを特徴とする床下空調方式コンピュータの冷却方式。
【請求項３】
請求項２において、前記比較部は、さらに、前記差分が予め多段階にレベル分けされているどの差分レベルかを判別し、判別した差分レベル信号を監視タイマに送り、また一定時間内に前記差分レベルが変化したときには前記監視タイマに送った差分レベル信号を更新するとともに、前記比較部からの差分レベル信号を受けて前記一定時間が経過しても、前記比較部から差分レベル信号の更新がなかった場合には、そのときに受けている差分レベル信号に対応するアラームレベル信号をアラーム表示部に送る監視タイマと、前記アラームレベル信号毎の表示部を備え、前記監視タイマからのアラームレベル信号を受けると対応する表示部に表示するアラーム表示部とをさらに有することを特徴とする床下空調方式コンピュータの冷却方式。
【請求項４】
フリーアクセスフロア上に隙間を空けて設置されたコンピュータの内部を冷却する床下空調方式コンピュータの冷却方式であって、床に内蔵された複数個のファンのそれぞれに対応して風量を検知する風量検知部を前記コンピュータ内部に前記ファンと同数備え、前記各風量検知部で検出した個々の風量値と前記各風量検知部毎に予め設定された設定風量値とをそれぞれ比較し、それぞれの差分をなくすように前記各ファンの回転速度を個別に制御する手段と、前記それぞれの差分の状態を差分量に応じて前記各風量検知部毎に多段階に表示する手段とを有することを特徴とする床下空調方式コンピュータの冷却方式。
【請求項５】
フリーアクセスフロア上に隙間を空けて設置されたコンピュータの内部を冷却する床下空調方式コンピュータの冷却方式であって、前記コンピュータ直下の前記フリーアクセスフロアの床内部に内蔵され、床下空調冷気を前記コンピュータの内部に送風する複数個のファンと、前記ファンのそれぞれに対応して前記コンピュータ内部に前記ファンと同数備えられ、対応したファンの風量値を検知する複数個の風量検知部と、前記各風量検知部毎の最適な風量値を設定風量値として、前記各風量検知部に対応して予め設定，保持している風量設定部と、前記各風量検知部から取得したそれぞれの風量値と前記風量設定部から取得した前記各風量検知部毎の設定風量値とを比較し、それぞれの差分を個々に検出する比較部と、前記比較部からのそれぞれの差分情報を受け、これらの差分をなくすように前記各風量検知部に対応する各ファンの回転速度を個別に制御するファン駆動信号を生成するファン駆動信号生成部と、前記ファン駆動信号生成部から受けたそれぞれのファン駆動信号により、対応するファンを個別に駆動するファン駆動回路とを有することを特徴とする床下空調方式コンピュータの冷却方式。
【請求項６】
請求項５において、前記比較部は、さらに、前記差分が予め多段階にレベル分けされているどの差分レベルかを判別し、判別した差分レベル信号を前記各風量検知部毎に監視タイマに送り、また一定時間内に前記差分レベルが変化したときには前記監視タイマに送った差分レベル信号を前記各風量検知部毎に更新するとともに、前記比較部からのそれぞれの差分レベル信号を受けて前記一定時間が経過しても、前記比較部から差分レベル信号の更新がなかった場合には、そのときに受けている前記各風量検知部毎の差分レベル信号に対応するアラームレベル信号をアラーム表示部に送る監視タイマと、前記各風量検知部毎，前記アラームレベル信号毎の表示部を備え、前記監視タイマからの前記各風量検知部毎のアラームレベル信号を受けると対応する表示部に表示するアラーム表示部とをさらに有することを特徴とする床下空調方式コンピュータの冷却方式。
【請求項７】
前記比較部は、前記差分レベルが最小段階の差分レベルであった場合には前記監視タイマに送らず、アラーム表示を行わないことを特徴とする請求項３または６記載の床下空調方式コンピュータの冷却方式。
【請求項８】
フリーアクセスフロア上に隙間を空けて設置されたコンピュータの内部を冷却する床下空調方式コンピュータの冷却方法であって、前記コンピュータ内部に備えられた複数個の風量検知部で風量を検出し、検出したそれぞれの風量の平均値を平均風量値として算出し、前記平均風量値と予め設定された設定風量値とを比較し、その差分をなくすように床に内蔵された複数個のファンの回転速度を一律に制御するとともに、前記差分の状態を差分量に応じて多段階に表示することを特徴とする床下空調方式コンピュータの冷却方法。
【請求項９】
フリーアクセスフロア上に隙間を空けて設置されたコンピュータの内部を冷却する床下空調方式コンピュータの冷却方法であって、前記コンピュータ内部の最適な風量値を設定風量値として予め設定，保持しておく第１のステップと、前記コンピュータ内部に備えられた複数個の風量検知部でそれぞれの風量を検出する第２のステップと、前記第２のステップで検出したそれぞれの風量の平均値を平均風量値として算出する第３のステップと、前記平均風量値と前記第１のステップで予め設定された設定風量値とを比較してその差分を算出する第４のステップと、前記差分をなくすように複数個のファンの回転速度を一律に制御する第５のステップと、前記差分が予め多段階にレベル分けされているどの差分レベルかを判別する第６のステップと、前記第６のステップで判別した差分レベルを保持した後、一定時間の間、前記第２〜第６のステップの動作を繰り返す第７のステップと、前記一定時間内に前記差分レベルの変化があった場合は差分レベルを更新して保持し、再度前記一定時間の間、前記第２〜第６のステップの動作を繰り返す第８のステップと、前記一定時間経過後、そのときに保持している差分レベルに対応する表示を行う第９のステップとを有することを特徴とする床下空調方式コンピュータの冷却方法。
【請求項１０】
フリーアクセスフロア上に隙間を空けて設置されたコンピュータの内部を冷却する床下空調方式コンピュータの冷却方法であって、複数個のファンのそれぞれに対応して備えられた風量検知部で各ファンからの風量をそれぞれ検出し、検出された個々の風量値と前記各風量検知部毎に予め設定された設定風量値とをそれぞれ比較し、それぞれの差分をなくすように前記各ファンの回転速度を個別に制御するとともに、前記それぞれの差分の状態を差分量に応じて前記各風量検知部毎に多段階に表示することを特徴とする床下空調方式コンピュータの冷却方法。
【請求項１１】
フリーアクセスフロア上に隙間を空けて設置されたコンピュータの内部を冷却する床下空調方式コンピュータの冷却方法であって、前記コンピュータ内部に備えられた複数の風量検知部毎に最適な風量値を設定風量値として予め設定，保持しておく第１のステップと、前記複数個の風量検知部でそれぞれの風量を検出する第２のステップと、前記第２のステップで検出したそれぞれの風量値と前記第１のステップで予め設定された前記風量検知部毎の設定風量値とをそれぞれ比較し、それらの差分を個々に算出する第３のステップと、前記各差分をなくすように前記各ファンの回転速度を個別に制御する第４のステップと、前記差分が予め多段階にレベル分けされているどの差分レベルかを前記風量検知部毎に判別する第５のステップと、前記第５のステップで判別した前記風量検知部毎の差分レベルを保持した後、一定時間の間、前記第２〜第５のステップの動作を繰り返す第６のステップと、前記一定時間内に前記差分レベルの変化があった場合は前記風量検知部毎の差分レベルを更新して保持し、再度前記一定時間の間、前記第２〜第５のステップの動作を繰り返す第７のステップと、前記一定時間経過後、そのときに保持している差分レベルに対応する表示を前記風量検知部毎に行う第８のステップとを有することを特徴とする床下空調方式コンピュータの冷却方法。
【請求項１２】
請求項９または１１に記載された方法をコンピュータに実行させる冷却制御プログラムを記録したことを特徴とする記録媒体。
【発明の詳細な説明】
【０００１】
【発明の属する技術分野】
本発明は、床下空調方式コンピュータの冷却方式，方法および冷却制御プログラムを記録した記録媒体に関し、特にフリーアクセスフロアの床内部にファンを内蔵し、このファンにより床下空調冷気を床上部に設置されたコンピュータの内部に送り込んで冷却する床下空調方式コンピュータの冷却方式，方法および冷却制御プログラムを記録した記録媒体に関する。
【０００２】
【従来の技術】
従来、床下空調方式コンピュータを冷却するためには、コンピュータ内部に備えられたファンが、床に設けられた開口部から床下の空調冷気を吸い込んでいた。その際に、コンピュータ内部のファンと床下空調冷気とは離れており、コンピュータ底面と床の間にも隙間が通常あるため、効率よく床下空調冷気を取り込むことができなかった。また、床下を流れる空調冷気の風量やその方向を考慮してコンピュータを設置したり、あるいは、床下の空調冷気の流れをフィンやダンパーと称する機具を用いて変えたりする必要があった。
【０００３】
また、ファンをコンピュータ内部ではなくフリーアクセスフロアの一部に設けた例としては、実開平７−２６６４６号公報の「空調用空気吹出しユニット」がある。この公報においては、その下部を空調用空気の通路として利用するフリーアクセスフロアの一部に空気吹出しユニットを組み合わせ、空気吹出しユニットに内蔵したファンにより床下の空調用空気を床面から吹き出すようにした技術が開示されている。
【０００４】
【発明が解決しようとする課題】
しかし、実開平７−２６６４６号公報で開示されている従来の技術においては、次のような問題があった。
【０００５】
第１の問題は、床に設置されたファンが定速で回転し送風するだけの構造となっているため、一種類のユニットで個々のコンピュータが必要とする風量への柔軟な対応が出来ないことである。また、空調機は風量自動制御を通常行っているため、時間の経過とともに床下を流れる空調冷気の流量に変化が生じるが、定速回転のファンでは空調冷気の流量変化に伴って吹き出す風量が変わってしまい、常時一定の風量が確保できない。そして、これによりコンピュータ内部の温度変化が起こってコンピュータ素子にストレスが加わりコンピュータの故障要因となるという問題がある。
【０００６】
第２の問題は、送風状態を外部から確認出来ないため、冷気が正しくコンピュータ内部に送られているかの判断が出来ないことである。
【０００７】
本発明は、以上の問題点を解決する床下空調方式コンピュータの冷却方式，方法および冷却制御プログラムを記録した記録媒体を提供することを目的とする。
【０００８】
【課題を解決するための手段】
本発明の第１の床下空調方式コンピュータの冷却方式は、フリーアクセスフロア上に隙間を空けて設置されたコンピュータの内部を冷却する床下空調方式コンピュータの冷却方式であって、前記コンピュータ内部に備えた複数個の風量検知部で検出した風量の平均値を平均風量値として算出する手段と、前記平均風量値と予め設定された設定風量値とを比較し、その差分をなくすように床に内蔵された複数個のファンの回転速度を一律に制御する手段と、前記差分の状態を差分量に応じて多段階に表示する手段とを有する。
【０００９】
本発明の第２の床下空調方式コンピュータの冷却方式は、フリーアクセスフロア上に隙間を空けて設置されたコンピュータの内部を冷却する床下空調方式コンピュータの冷却方式であって、前記コンピュータ直下の前記フリーアクセスフロアの床内部に内蔵され、床下空調冷気を前記コンピュータの内部に送風する複数個のファンと、前記コンピュータ内部の別々の場所に備えられ、それぞれの場所における風量値を検知する複数個の風量検知部と、前記複数個の風量検知部からそれぞれの風量値を取得し、それらの平均風量値を算出する平均風量演算部と、前記コンピュータ内部の最適な風量値を設定風量値として予め設定，保持している風量設定部と、前記平均風量演算部から取得した平均風量値と前記風量設定部から取得した設定風量値とを比較し、その差分を検出する比較部と、前記比較部からの差分情報を受け、この差分をなくすように前記ファンの回転速度を制御するファン駆動信号を生成するファン駆動信号生成部と、前記ファン駆動信号生成部から受けたファン駆動信号により、前記複数のファンを一律に駆動するファン駆動回路とを有する。
【００１０】
本発明の第３の床下空調方式コンピュータの冷却方式は、本発明の第２の床下空調方式コンピュータの冷却方式において、前記比較部は、さらに、前記差分が予め多段階にレベル分けされているどの差分レベルかを判別し、判別した差分レベル信号を監視タイマに送り、また一定時間内に前記差分レベルが変化したときには前記監視タイマに送った差分レベル信号を更新するとともに、
前記比較部からの差分レベル信号を受けて前記一定時間が経過しても、前記比較部から差分レベル信号の更新がなかった場合には、そのときに受けている差分レベル信号に対応するアラームレベル信号をアラーム表示部に送る監視タイマと、
前記アラームレベル信号毎の表示部を備え、前記監視タイマからのアラームレベル信号を受けると対応する表示部に表示するアラーム表示部とをさらに有する。
【００１１】
本発明の第４の床下空調方式コンピュータの冷却方式は、フリーアクセスフロア上に隙間を空けて設置されたコンピュータの内部を冷却する床下空調方式コンピュータの冷却方式であって、床に内蔵された複数個のファンのそれぞれに対応して風量を検知する風量検知部を前記コンピュータ内部に前記ファンと同数備え、前記各風量検知部で検出した個々の風量値と前記各風量検知部毎に予め設定された設定風量値とをそれぞれ比較し、それぞれの差分をなくすように前記各ファンの回転速度を個別に制御する手段と、前記それぞれの差分の状態を差分量に応じて前記各風量検知部毎に多段階に表示する手段とを有する。
【００１２】
本発明の第５の床下空調方式コンピュータの冷却方式は、フリーアクセスフロア上に隙間を空けて設置されたコンピュータの内部を冷却する床下空調方式コンピュータの冷却方式であって、前記コンピュータ直下の前記フリーアクセスフロアの床内部に内蔵され、床下空調冷気を前記コンピュータの内部に送風する複数個のファンと、前記ファンのそれぞれに対応して前記コンピュータ内部に前記ファンと同数備えられ、対応したファンの風量値を検知する複数個の風量検知部と、前記各風量検知部毎の最適な風量値を設定風量値として、前記各風量検知部に対応して予め設定，保持している風量設定部と、前記各風量検知部から取得したそれぞれの風量値と前記風量設定部から取得した前記各風量検知部毎の設定風量値とを比較し、それぞれの差分を個々に検出する比較部と、前記比較部からのそれぞれの差分情報を受け、これらの差分をなくすように前記各風量検知部に対応する各ファンの回転速度を個別に制御するファン駆動信号を生成するファン駆動信号生成部と、前記ファン駆動信号生成部から受けたそれぞれのファン駆動信号により、対応するファンを個別に駆動するファン駆動回路とを有する。
【００１３】
本発明の第６の床下空調方式コンピュータの冷却方式は、本発明の第５の床下空調方式コンピュータの冷却方式において、前記比較部は、さらに、前記差分が予め多段階にレベル分けされているどの差分レベルかを判別し、判別した差分レベル信号を前記各風量検知部毎に監視タイマに送り、また一定時間内に前記差分レベルが変化したときには前記監視タイマに送った差分レベル信号を前記各風量検知部毎に更新するとともに、
前記比較部からのそれぞれの差分レベル信号を受けて前記一定時間が経過しても、前記比較部から差分レベル信号の更新がなかった場合には、そのときに受けている前記各風量検知部毎の差分レベル信号に対応するアラームレベル信号をアラーム表示部に送る監視タイマと、
前記各風量検知部毎，前記アラームレベル信号毎の表示部を備え、前記監視タイマからの前記各風量検知部毎のアラームレベル信号を受けると対応する表示部に表示するアラーム表示部とをさらに有する。
【００１４】
本発明の第７の床下空調方式コンピュータの冷却方式は、本発明の第３または第６の床下空調方式コンピュータの冷却方式において、前記比較部は、前記差分レベルが最小段階の差分レベルであった場合には前記監視タイマに送らず、アラーム表示を行わないことを特徴とする。
【００１５】
本発明の第１の床下空調方式コンピュータの冷却方法は、フリーアクセスフロア上に隙間を空けて設置されたコンピュータの内部を冷却する床下空調方式コンピュータの冷却方法であって、前記コンピュータ内部に備えられた複数個の風量検知部で風量を検出し、検出したそれぞれの風量の平均値を平均風量値として算出し、前記平均風量値と予め設定された設定風量値とを比較し、その差分をなくすように床に内蔵された複数個のファンの回転速度を一律に制御するとともに、前記差分の状態を差分量に応じて多段階に表示することを特徴とする。
【００１６】
本発明の第２の床下空調方式コンピュータの冷却方法は、フリーアクセスフロア上に隙間を空けて設置されたコンピュータの内部を冷却する床下空調方式コンピュータの冷却方法であって、前記コンピュータ内部の最適な風量値を設定風量値として予め設定，保持しておく第１のステップと、前記コンピュータ内部に備えられた複数個の風量検知部でそれぞれの風量を検出する第２のステップと、前記第２のステップで検出したそれぞれの風量の平均値を平均風量値として算出する第３のステップと、前記平均風量値と前記第１のステップで予め設定された設定風量値とを比較してその差分を算出する第４のステップと、前記差分をなくすように複数個のファンの回転速度を一律に制御する第５のステップと、前記差分が予め多段階にレベル分けされているどの差分レベルかを判別する第６のステップと、前記第６のステップで判別した差分レベルを保持した後、一定時間の間、前記第２〜第６のステップの動作を繰り返す第７のステップと、前記一定時間内に前記差分レベルの変化があった場合は差分レベルを更新して保持し、再度前記一定時間の間、前記第２〜第６のステップの動作を繰り返す第８のステップと、前記一定時間経過後、そのときに保持している差分レベルに対応する表示を行う第９のステップとを有する。
【００１７】
本発明の第３の床下空調方式コンピュータの冷却方法は、フリーアクセスフロア上に隙間を空けて設置されたコンピュータの内部を冷却する床下空調方式コンピュータの冷却方法であって、複数個のファンのそれぞれに対応して備えられた風量検知部で各ファンからの風量をそれぞれ検出し、検出された個々の風量値と前記各風量検知部毎に予め設定された設定風量値とをそれぞれ比較し、それぞれの差分をなくすように前記各ファンの回転速度を個別に制御するとともに、前記それぞれの差分の状態を差分量に応じて前記各風量検知部毎に多段階に表示することを特徴とする。
【００１８】
本発明の第４の床下空調方式コンピュータの冷却方法は、フリーアクセスフロア上に隙間を空けて設置されたコンピュータの内部を冷却する床下空調方式コンピュータの冷却方法であって、前記コンピュータ内部に備えられた複数の風量検知部毎に最適な風量値を設定風量値として予め設定，保持しておく第１のステップと、前記複数個の風量検知部でそれぞれの風量を検出する第２のステップと、前記第２のステップで検出したそれぞれの風量値と前記第１のステップで予め設定された前記風量検知部毎の設定風量値とをそれぞれ比較し、それらの差分を個々に算出する第３のステップと、前記各差分をなくすように前記各ファンの回転速度を個別に制御する第４のステップと、前記差分が予め多段階にレベル分けされているどの差分レベルかを前記風量検知部毎に判別する第５のステップと、前記第５のステップで判別した前記風量検知部毎の差分レベルを保持した後、一定時間の間、前記第２〜第５のステップの動作を繰り返す第６のステップと、前記一定時間内に前記差分レベルの変化があった場合は前記風量検知部毎の差分レベルを更新して保持し、再度前記一定時間の間、前記第２〜第５のステップの動作を繰り返す第７のステップと、前記一定時間経過後、そのときに保持している差分レベルに対応する表示を前記風量検知部毎に行う第８のステップとを有する。
【００１９】
本発明の記録媒体は、本発明の第２または第４の床下空調方式コンピュータの冷却方法をコンピュータに実行させる冷却制御プログラムを記録したことを特徴とする。
【００２０】
【発明の実施の形態】
本発明の実施の形態について図面を参照して説明する。
【００２１】
図１は、本発明の第１の実施の形態の使用例を示す図である。図１を参照すると、床下空調式のコンピュータ１がフリーアクセスフロア上に設置されており、回転速度の変化によって任意の風量が発生可能なファン２Ａ〜２Ｄと、それらのファンを駆動及び制御するファン駆動回路３と、その内部に取り込んだ冷気の風量を検出する風量検知部４Ａ〜４Ｄと、コンピュータ１の内部に最適な風量が送られるようにファン駆動回路３を制御する風量検知制御部５と、風量の制御が異常な場合にそれを表示するアラーム表示部６とから構成される。
【００２２】
以上の構成において、ファン２Ａ〜２Ｄおよびファン駆動回路３は床の一部に内蔵され、風量検知部４Ａ〜４Ｄおよび風量検知制御部５はコンピュータ１の内部に、アラーム表示部６はコンピュータ１の外部から見える場所にそれぞれ実装される。なお、風量検知部４Ａ〜４Ｄの実装場所はファン２Ａ〜２Ｄのそれぞれに対応していなくてもよいし、その数もファンの数と異なっていてもよい。
【００２３】
なお、本実施の形態においては、ファンの数を４個として説明している。本発明を構成するファンは、フリーアクセスフロアの床の内部に収納される床内蔵タイプでありスペースも限られることから、小型のファンを複数個用いるのが普通である。また、複数個のファンで送風することにより、１個のファンに比べコンピュータ内部に隈無く送風できるという効果もある。なお、ファンの数については、必要とする風量や容積、面積等に応じて選択するものとし、４個に限定されるものではない。風量検知部についても、同様に４個に限定されるものではなく増減は可能である。
【００２４】
次に、図１の風量検知制御部５の詳細な構成について図２を参照して説明する。図２は、本発明の第１の実施の形態の構成を示すブロック図であり、風量検知部４Ａ〜４Ｄと、風量検知制御部５と、ファン２Ａ〜２Ｄと、ファン駆動回路３と、アラーム表示部６とが示されている。
【００２５】
風量検知制御部５は、平均風量演算部５１と、比較部５２と、風量設定部５３と、ファン駆動信号生成部５４と、監視タイマ５５とを備えている。
【００２６】
平均風量演算部５１は、風量検知部４Ａ〜４Ｄからの風量値を演算し、平均風量値を比較部５２に出力する。
【００２７】
比較部５２は、平均風量演算部５１からの平均風量値と、風量設定部５３に予め設定しておいた設定風量値（コンピュータに最適な風量値）とを比較し、比較結果として差分比率（検知風量の平均風量値と設定風量値との差分を設定風量値で割った比率）を、ファン駆動信号発生部５４に出力する。また、この差分比率によって、監視タイマ１セット信号Ｔ１，監視タイマ２セット信号Ｔ２，監視タイマリセット信号ＴＲを監視タイマ５５に、アラームリセット信号ＡＲをアラーム表示部６にそれぞれ出力する。
【００２８】
ファン駆動信号生成部５４は、比較部５２から検知風量の差分比率を入力され、全てのファン２Ａ〜２Ｄの回転速度を一律に制御するファン駆動信号ＦＡを、ファン駆動回路３に出力する。ファン駆動信号ＦＡの生成に関しては、例えば、プラス，マイナスの差分比率１％毎に電圧値や回転数ステップ信号等を対応させて予めファン駆動信号生成部５４に記憶しておき、比較部５２から差分比率を入力されたときに対応する電圧値や回転数ステップ信号等を読み出す等により可能である。
【００２９】
監視タイマ５５は、比較部５２からの監視タイマ１セット信号Ｔ１または監視タイマ２セット信号Ｔ２によってタイマ動作を開始する。そして、一定時間（例えば一分）を経過しても比較部５２からの監視タイマリセット信号ＴＲが入力されないときに、監視タイマ１セット信号Ｔ１が入力されていた場合はアラーム１セット信号Ａ１を、また監視タイマ２セット信号Ｔ２が入力されていた場合はアラーム２セット信号Ａ２を、それぞれアラーム表示部６に出力する。
【００３０】
アラーム表示部６は、アラーム１セット信号Ａ１によってアラーム１を、アラーム２セット信号Ａ２によってアラーム２をそれぞれ表示し、アラームリセット信号ＡＲによってアラーム表示をリセットする。
【００３１】
次に、本発明の第１の実施の形態の動作について図１〜図３を参照して詳細に説明する。図３は、本発明の第１の実施の形態の動作を示すフローチャートである。
【００３２】
図１を参照すると、床下空調機からの空調冷気を、床内に設置されたファン２Ａ〜２Ｄによってコンピュータ１の内部へ送風する際に、コンピュータ１に最適な風量を予め風量検知制御部５に設定しておき、その設定した風量と、風量検知部４Ａ〜４Ｄにより検出された風量の平均値との差分をなくすように、ファン２Ａ〜２Ｄを駆動する。その際に、差分比率が１０％以上の場合は、監視タイマ５５の設定値を仮に一分とすると、監視タイマ５５が一分経過した時点で風量の差異が１０％以上であると判断し、アラーム表示部６にアラーム１が表示される。また、差分比率が５％以上で１０％未満の場合は、監視タイマ５５が一分経過した時点で風量の差異が５％以上であると判断し、アラーム表示部６にアラーム２が表示される。
【００３３】
図２を参照すると、風量検知部４Ａ〜４Ｄから検知された値を平均風量演算部５１で演算（四つの風量を足して４で割り算）し、平均風量を比較部５２に出力する。比較部５２は、平均風量演算部５１からの平均風量値と、風量設定部５３に予め設定しておいたコンピュータに最適な風量値とを比較し、比較結果として差分比率（検知風量の平均風量値と設定風量値との差分を設定風量値で割った比率）を、ファン駆動信号発生部５４に出力する。ファン駆動信号発生部５４は、ファン駆動信号ＦＡをファン駆動回路３に出力し、ファン２Ａ〜２Ｄを現在の動作状態から最適風量値との差分をなくすように回転数制御させる。その際に、比較部５２は、差分比率が１０％以上の場合は、監視タイマ１セット信号Ｔ１を監視タイマ５５に出力しタイマを動作させる。また、比較部５２は、差分比率が５％以上で１０％未満の場合は、はじめに監視タイマリセット信号ＴＲを出して監視タイマ５５をリセットし、次に監視タイマ２セット信号Ｔ２を監視タイマ５５に出力しタイマを動作させる。そして、比較部５２は、差分比率が５％未満となった場合は、監視タイマリセット信号ＴＲを出して監視タイマ５５をリセットし、アラームリセット信号ＡＲをアラーム表示部６に出力する。
【００３４】
監視タイマ５５は、監視タイマ１セット信号Ｔ１によりタイマを開始させた後、一分経過しても監視タイマリセット信号ＴＲによるタイマリセットがされない場合は、アラーム表示部６に対してアラーム１セット信号を出力する。同様に、監視タイマ２セット信号Ｔ２によりタイマを開始させた後、一分経過しても監視タイマリセット信号ＴＲによるタイマリセットがされない場合は、アラーム表示部６に対してアラーム２セット信号を出力する。
【００３５】
アラーム表示部６は、アラーム１セット信号を受信すると、風量の差異が１０％以上であることを示すアラーム１を、アラーム２セット信号を受信すると、風量の差異が５％を超えたことを示すアラーム２を、それぞれ表示させる。また、比較部５２からのアラームリセット信号ＡＲによって、アラーム表示をリセットする。これによってアラーム１，２とも表示されていなければ、正常な動作が行われていることがわかる。
【００３６】
図３を参照すると、はじめに、電源がオンされるとファン駆動回路３はファン２Ａ〜２Ｄの動作を開始させる。このとき、ファン駆動回路３には、初期状態で設定風量に対応した駆動信号となるように設定しておく。
【００３７】
次に、比較部５２は監視タイマ５５により一分間の待ち時間動作をとった後（図３のステップＳ１）、監視タイマリセット動作を行い監視タイマ５５を初期化する（ステップＳ２）。
【００３８】
次に、複数の風量検知部４Ａ〜４Ｄの風量から平均風量値を求め（ステップＳ３）、比較部５２の風量比較動作によって平均風量値が設定風量値に比べどの位の差異があるかを比較する（ステップＳ４）。
【００３９】
ステップＳ４の比較の結果、差分比率が１０％以上の場合は、その差分をなくすようにファンの回転速度を制御し、また監視タイマを開始させる動作（監視タイマ１セット）を行う（ステップＳ５）。
【００４０】
ここで、監視タイマ比較（ステップＳ６）により、一分未満なら風量比較（ステップＳ４）を繰り返す。
【００４１】
監視タイマ比較（ステップＳ６）が一分経過しても、設定風量値との差分比率が１０％以上の場合は、アラーム１を表示する動作（ステップＳ７）となる。この後、監視タイマリセット動作（ステップＳ１５）を行い、平均風量値演算動作（ステップＳ３）に戻って、風量制御を続ける。
【００４２】
風量比較（ステップＳ４）において、差分比率が１０％未満となった場合は、監視タイマリセット動作（ステップＳ８）が行われる。
【００４３】
次も同様に、風量検知動作（ステップＳ９）で平均風量値を再度求め、風量比較動作（ステップＳ１０）を行う。
【００４４】
風量比較（ステップＳ１０）において、差分比率が５％以上となった場合は、その差分をなくすように各ファンを駆動し、また監視タイマを開始させる動作（監視タイマ２セット）を行う（ステップＳ１１）。
【００４５】
ここで、監視タイマ比較（ステップＳ１２）により、一分未満なら風量比較（ステップＳ１０）を繰り返す。
【００４６】
監視タイマ比較（ステップＳ１２）が一分経過しても、設定風量値との差分比率が５％以上の場合は、アラーム２を表示する動作（ステップＳ１３）となる。この後、監視タイマリセット動作（ステップＳ１５）を行い、風量検知動作（ステップＳ３）に戻って、風量制御を続ける。
【００４７】
風量比較（ステップＳ１０）において、差分比率が５％未満となった場合は、アラームリセット動作（ステップＳ１４）と、監視タイマリセット動作（ステップＳ１５）が行われたのち、平均風量値演算動作（ステップＳ３）に戻り、風量制御を続ける。
【００４８】
なお、以上の説明において、ステップＳ７でアラーム１を表示した後、監視タイマリセット動作（ステップＳ１５）を行い、平均風量値演算動作（ステップＳ３）に戻って、風量制御を続けると説明したが、ステップＳ７でアラーム１を表示した時点で、それ以降の動作を止めるようにしてもよい。
【００４９】
次に、本発明の第２の実施の形態について図面を参照して説明する。
【００５０】
以上説明した本発明の第１の実施の形態においては、それぞれの風量検知部からの風量の平均値と、風量設定部に設定した一つの値との差分によって各ファンの動作を均一に制御しているが、本実施の形態においては、それぞれの風量検知部からの個々の風量値と、風量設定部にそれらの風量検知部毎に設定した値との各差分で、それぞれの風量検知部と一対一で対応している各ファンを個別に制御することを特徴としている。これにより、コンピュータ内部で発生する熱のかたよりに対してより柔軟な冷却が可能となる。
【００５１】
図４を参照して、動作の相違点を説明する。図４は、本発明の第２の実施の形態の使用例を示す図である。
【００５２】
コンピュータ内部の発熱量の高い箇所を仮に４カ所と設定し、それら４カ所に、それぞれに個別制御が可能な一つのファンに対して一つの風量検知部で対応させた組み合わせを配置する。また、本実施の形態では４個の風量検知部と４個のファンで構成しているが、その数は容積、面積等に応じて選択するものとする。
【００５３】
床下空調機からの空調冷気を、床内に設置されたファン８Ａ〜８Ｄによってコンピュータ７の内部へ送風する際に、そのコンピュータ内部で冷却が必要とされる４カ所毎に最適な風量を、予め風量検知制御部１１にそれぞれ設定しておき、それらの風量と、各風量検知部１０Ａ〜１０Ｄにより検出された風量との各差分をなくすように、各ファン８Ａ〜８Ｄを個別に駆動する。その際に、それぞれの差分比率が１０％以上の場合は、監視タイマ１１５の設定値を仮に一分とすると、監視タイマ１１５が一分経過した時点でその場所の風量の差異が１０％以上であると判断し、アラーム表示部１２にアラーム１が各場所別に表示される。また、それぞれの差分比率が５％以上で１０％未満の場合は、監視タイマ１１５が一分経過した時点でその場所の風量の差異が５％以上であると判断し、アラーム表示部１２にアラーム２が各場所別に表示される。
【００５４】
図５を参照して、動作の相違点を説明する。図５は、本発明の第２の実施の形態の構成を示すブロック図である。
【００５５】
比較部１１２，風量設定部１１３，ファン駆動信号生成部１１４，監視タイマ１１５，アラーム表示部１２およびファン駆動回路９は、ファンと風量検知部のそれぞれの組み合わせに対応した、それぞれ４つの独立して動作する回路を内部に有するものである。
【００５６】
風量検知部１０Ａ〜１０Ｄの４カ所において、それらから検知された各風量と、風量設定部１１３に各風量検知部に対応して予め設定しておいた各風量との差を比較部１１２で比較演算し、その各差分の値をファン駆動信号生成部１１４にそれぞれ出力する。
【００５７】
ファン駆動信号生成部１１４は、各ファン毎にファン駆動信号ＦＡＡをファン駆動回路９にそれぞれ出力し、各ファン８Ａ〜８Ｄを現在の動作状態からそれぞれの差分をなくすように個別に回転数制御を行わせる。その際に、比較部１１２は、それぞれの差分比率が１０％以上の場合は、各監視タイマ１セット信号Ｔ１Ａを監視タイマ１１５にそれぞれ出力しタイマを動作させる。また、比較部１１２は、それぞれの差分比率が５％以上で１０％未満の場合は、はじめに各監視タイマリセット信号ＴＲＡをそれぞれ出して監視タイマ５５をリセットし、次に各監視タイマ２セット信号Ｔ２Ａを監視タイマ５５にそれぞれ出力しタイマを動作させる。そして、比較部１１２は、それぞれの差分比率が５％未満となった場合は、各監視タイマリセット信号ＴＲＡを出して監視タイマ５５をリセットし、各アラームリセット信号ＡＲＡをアラーム表示部１２にそれぞれ出力する。
【００５８】
監視タイマ１１５は、各監視タイマ１セット信号Ｔ１Ａによりタイマを開始させた後一分以上経過しても各監視タイマリセット信号ＴＲＡによるタイマリセットがされない場合は、アラーム表示部１２に、各アラーム１セット信号Ａ１Ａをそれぞれ出力する。また、各監視タイマ２セット信号Ｔ２Ａによりタイマを開始させた後、一分以上経過しても各監視タイマリセット信号ＴＲＡによるタイマリセットがされない場合は、アラーム表示部１２に、各アラーム２セット信号Ａ２Ａをそれぞれ出力する。
【００５９】
アラーム表示部１２は、各アラーム１セット信号Ａ１Ａを受信すると、その場所の風量の差異が１０％以上であることを示すアラーム１を、各アラーム２セット信号Ａ２Ａを受信すると、その場所の風量の差異が５％以上であることを示すアラーム２を、それぞれの場所に応じて表示させる。また、比較部１１２からの各アラームリセット信号ＡＲＡによって、各アラームの表示をそれぞれリセットする。これによってアラーム１，２とも表示されていなければ、その場所は正常な動作が行われていることがわかる。
【００６０】
図６により制御方法の相違点を説明する。図６は、本発明の第２の実施の形態の動作を示すフローチャートである。
【００６１】
はじめに、電源がオンされるとファン駆動回路９はファン８Ａ〜８Ｄの動作を開始させる。このとき、ファン駆動回路９には、初期状態で各ファン毎にそれぞれの設定風量に対応した駆動信号となるように設定しておく。
【００６２】
次に、比較部１１２は監視タイマ１１５により一分間の待ち時間動作をとった後（図６のステップＳ２１）、監視タイマリセット動作を行い監視タイマ１１５を初期化する（ステップＳ２２）。
【００６３】
ここからは、各ファンの制御動作をそれぞれ個別に独立して行うが、全体としては以下の様な制御となる。
【００６４】
各風量検知動作（ステップＳ２３）でそれぞれの風量値を検知し、各風量比較動作（ステップＳ２４）によってそれぞれの風量値が各設定風量値に比べどの位の差異があるかを比較する。
【００６５】
ステップＳ２４の比較の結果、差分比率が１０％以上の場合は、その差分をなくすように各ファンの回転速度を個別に制御し、また監視タイマを開始させる動作（監視タイマ１セット）を行う（ステップＳ２５）。
【００６６】
ここで、各監視タイマ比較（ステップＳ２６）により、一分未満なら各風量比較動作（ステップＳ２４）を繰り返す。
【００６７】
各監視タイマ比較（ステップＳ２６）が一分経過しても、各設定風量値との差分比率が１０％以上の場合は、それぞれにアラーム１を表示する動作（ステップＳ２７）となる。この後、監視タイマリセット動作（ステップＳ３５）を行い、各風量検知動作（ステップＳ２３）に戻って、風量制御を続ける。
【００６８】
各風量比較（ステップＳ２４）において、差分比率が１０％未満となった場合は、各監視タイマリセット動作（ステップＳ２８）が行われる。
【００６９】
次も同様に、各風量検知動作（ステップＳ２９）が行われ、各風量比較動作（ステップＳ３０）を行う。
【００７０】
各風量比較（ステップＳ３０）において、差分比率が５％以上となった場合は、その差分をなくすように各ファンを駆動し、また各監視タイマを開始させる動作（監視タイマ２セット）を行う（ステップＳ３１）。
【００７１】
ここで、各監視タイマ比較（ステップＳ３２）により、一分未満なら各風量比較（ステップＳ３０）を繰り返す。
【００７２】
各監視タイマ比較（ステップＳ３２）が一分経過しても、各設定風量値との差分比率が５％以上の場合は、それぞれにアラーム２を表示する動作（ステップＳ３３）となる。この後、各監視タイマリセット動作（ステップＳ３５）を行い、各風量検知動作（ステップＳ２３）に戻って、それぞれに風量制御を続ける。
【００７３】
各風量比較（ステップＳ３０）において、差分比率が５％未満となった場合は、各アラームリセット動作（ステップＳ３４）と、各監視タイマリセット動作（ステップＳ３５）が行われたのち、各風量検知動作（ステップＳ２３）に戻って、それぞれに風量制御を続ける。
【００７４】
なお、以上の説明において、ステップＳ２７でアラーム１を表示した後、各監視タイマリセット動作（ステップＳ３５）を行い、各風量検知動作（ステップＳ２３）に戻って、それぞれに風量制御を続けると説明したが、ステップＳ２７でアラーム１を表示した時点で、それ以降の動作を止めるようにしてもよい。
【００７５】
なお、以上説明した本発明の第１，第２の実施の形態においては、設定風量との差が１０％以上の場合はアラーム１表示、５％以上１０％未満の場合はアラーム２表示の、２段階のアラーム表示を説明した。しかし、本発明はこれに限定されるものではなく、他の差分比率を適用してもよいし、また３段階以上の多段階アラーム表示としてもよい。
【００７６】
次に、本発明の第３の実施の形態について図面を参照して詳細に説明する。
【００７７】
図７は、本発明の第３の実施の形態の構成を示すブロック図であり、コンピュータ１３と、記録媒体１４とから構成される。コンピュータ１３の構成は、図２の本発明の第１の実施の形態、図５の本発明の第２の実施の形態で説明した風量検知制御部と基本的に同じである。記録媒体１４は、冷却制御プログラムを記録している。この記録媒体１４は、磁気ディスク，光記録ディスク，半導体メモリその他の記録媒体であってもよい。冷却制御プログラムは、記録媒体１４からコンピュータ１３に読み込まれ、本発明の第１，第２の実施の形態と同様の動作を制御する。
【００７８】
【発明の効果】
本発明は、床下空調方式コンピュータ内部に送風する空調冷気の最適な風量を予め設定しておき、実際に送風される風量を検出して設定風量に一致させるよう、各ファンの回転速度制御を行うようにしたため、床下空調冷気の送風方向や流量の変化等があっても、常に最適な一定の風量の冷気をコンピュータ内部に送風可能となり、コンピュータ内部の温度変化によるコンピュータ素子の故障等が防止できるという効果がある。
【００７９】
また、コンピュータ内部で検出された風量が設定風量から外れていても、動作が停止することなく再度設定風量に近づくように制御されるとともに、その制御の状態が多段階のアラーム表示として外部から容易に確認できるという効果も併せ持っている。
【図面の簡単な説明】
【図１】本発明の第１の実施の形態の使用例を示す図である。
【図２】本発明の第１の実施の形態の構成を示すブロック図である。
【図３】本発明の第１の実施の形態の動作を示すフローチャートである。
【図４】本発明の第２の実施の形態の使用例を示す図である。
【図５】本発明の第２の実施の形態の構成を示すブロック図である。
【図６】本発明の第２の実施の形態の動作を示すフローチャートである。
【図７】本発明の第３の実施の形態の構成を示すブロック図である。
【符号の説明】
１，７    コンピュータ
２Ａ〜２Ｄ，８Ａ〜８Ｄ    ファン
３，９    ファン駆動回路
４Ａ〜４Ｄ，１０Ａ〜１０Ｄ  風量検知部
５，１１    風量検知制御部
５１    平均風量演算部
５２，１１２    比較部
５３，１１３    風量設定部
５４，１１４    ファン駆動信号生成部
５５，１１５    監視タイマ
６，１２    アラーム表示部
１３    コンピュータ
１４    記録媒体
【図１】
0003686825.tif 000002
【図２】
0003686825.tif 000003
【図３】
0003686825.tif 000004
【図４】
0003686825.tif 000005
【図５】
0003686825.tif 000006
【図６】
0003686825.tif 000007
【図７】
0003686825.tif 000008